(57)【要約】【課題】特定領域に照明光を照射して間接照明を行うとともに、当該特定領域又はその近傍にメッセージ等の表示画像の投影を可能にし、投影された表示画像に対して注意を喚起させることができる間接照明装置を構成する。【解決手段】特定領域６に照明光を照射して間接照明を行う間接照明部３と、特定領域６又は当該特定領域の近傍に表示画像を投影する画像投影部４と、間接照明部３と画像投影部４とを収納する筐体２とから構成される間接照明装置１であって、間接照明部３は、画像投影部４による表示画像７の投影に連動して照明光を変化させる間接照明装置１。【選択図】図１
2009076397.tif 000002
【特許請求の範囲】
【請求項１】
特定領域に照明光を照射して間接照明を行う間接照明部と、前記特定領域又は当該特定領域の近傍に表示画像を投影する画像投影部と、前記間接照明部と前記画像投影部とを収納する筐体とから構成される間接照明装置であって、
前記間接照明部は、前記画像投影部による表示画像の投影に連動して、前記照明光を変化させる間接照明装置。
【請求項２】
前記間接照明部は、前記画像投影部による表示画像の投影に連動して、前記照明光の色温度を変化させることを特徴とする請求項１に記載の間接照明装置。
【請求項３】
前記間接照明部は、前記画像投影部による表示画像の投影に連動して、前記照明光の強度を変化させることを特徴とする請求項１又は請求項２に記載の間接照明装置。
【請求項４】
前記間接照明部は、前記画像投影部による表示画像の投影に連動して、前記照明光のスペクトルを変化させることを特徴とする請求項１〜３のいずれか１項に記載の間接照明装置。
【請求項５】
前記特定領域は、建物の床、壁又は天井の所定の範囲であることを特徴とする請求項１〜４のいずれか１項に記載の間接照明装置。
【請求項６】
メッセージを受信する受信部を更に備え、
前記間接照明部は、前記画像投影部により前記メッセージを表示する表示画像の投影に連動して、前記照明光を変化させることを特徴とする請求項１〜５のいずれか１項に記載の間接照明装置。
【請求項７】
前記間接照明部は、前記受信したメッセージの属性に応じて異なる照明光を照射することを特徴とする請求項６に記載の間接照明装置。
【発明の詳細な説明】
【技術分野】
【０００１】
本発明は、建物の壁等の特定領域に照明光を照射して間接照明を行う間接照明装置に関し、特に、当該特定領域又はその近傍にメッセージ等の表示画像を投影する機能を備えた間接照明装置に関する。
【背景技術】
【０００２】
レストラン、ホテルや公共施設或いは個人の住宅等の廊下や室内の壁、床或いは天井に照明光を照射して、この照明光が照射された領域から散乱される散乱光により周囲を明るくする間接照明装置が実用化されている。この間接照明装置は、照明光が照射された領域の周辺の環境を明るくするという実用的な目的の他に、その照明されている領域の空間に一定の雰囲気を醸し出す演出効果を得るために使用されている。この間接照明装置は、光源と光源からの光を所定の方向に照射するための光学系から構成されており、壁や天井或いは床面に取り付けられ、壁や天井或いは床の一定の領域を照明できるように構成されている。このため、この種の間接照明装置は、周囲を明るくすることと一定の雰囲気を醸し出す演出を行うために使用されるが、情報の伝達手段としては使用されていない。
【０００３】
一方、天気予報や株価の情報、あるいは為替変動をリアルタイムで見たい場合がある。また、ホテルやレストラン或いは公共施設において、緊急情報を多数の人に迅速に伝達したい場合がある。このような場合に、パーソナルコンピュータの電源をオンしても、立ち上げ時間が必要であったり、テレビが据え付けられた場所に移動したりする必要があり、リアルタイムで情報を取得することができない場合が多い。
【０００４】
そこで、間接照明装置と画像投影手段とを組み合わせて空間全体の演出を行うと共に、情報の伝達を迅速に行うことができれば、便利である。特許文献１には、間接照明機能を備えたプロジェクタが記載されている。このプロジェクタによれば、間接照明と画像の投影とを同時に行うことができる。図５は、特許文献１に記載されている空間演出照明装置１００の概略構成図を示す。画像生成機器１０１とプロジェクタ１０２によって画像が投影されるスクリーン１０３の表面には、光を通過・散乱する多数の小孔１０５が形成されている。この多数の小孔１０５が形成されたスクリーン１０３の背後には拡散反射板１０４が設置されている。プロジェクタ１０２によりスクリーン１０３上に画像が投影されると、スクリーン１０３の小孔１０５を通して投影光の一部が背後の拡散反射板１０４に照射され、この拡散反射板１０４から拡散反射される光を間接照明として利用するものである。
【特許文献１】特開２００７−２５３５５号公報
【発明の開示】
【発明が解決しようとする課題】
【０００５】
しかしながら、上記特許文献１のプロジェクタは、間接照明を行う際には投影画像を表示するスクリーン面を必要とする。これを建物の壁や天井に適用しようとすると、その壁や天井面にスクリーン面を併設しなければならず、不便である。また、投影される表示画像の一部の光を間接照明として利用することから、間接照明の色や光量が投影される画像により影響を受け、間接照明の一つの目的である一定の演出効果を得ることができない。
【０００６】
また、プロジェクタは、空間演出用の照明手段として利用する場合には照明光の利用効率が低く、空間の十分な演出効果を得ることができない、という課題があった。その上、上記特許文献１の場合には、スクリーンに形成した小孔の面積が全体の面積に対して数％以下であり、空間演出用として利用できる光量は更に低下する。これを改善するには、発光強度の大きな光源を使用しなければならず、消費電力が増大し、これに伴って発熱量も増大するので、長時間点灯する間接照明用としては不向きである、という課題があった。
【課題を解決するための手段】
【０００７】
請求項１に係る発明においては、特定領域に照明光を照射して間接照明を行う間接照明部と、前記特定領域又は当該特定領域の近傍に表示画像を投影する画像投影部と、前記間接照明部と前記画像投影部とを収納する筐体とから構成される間接照明装置であって、前記間接照明部は、前記画像投影部による表示画像の投影に連動して、前記照明光を変化させる間接照明装置とした。
【０００８】
請求項２に係る発明においては、前記間接照明部は、前記画像投影部による表示画像の投影に連動して、前記照明光の色温度を変化させることを特徴とする請求項１に記載の間接照明装置とした。
【０００９】
請求項３に係る発明においては、前記間接照明部は、前記画像投影部による表示画像の投影に連動して、前記照明光の強度を変化させることを特徴とする請求項１又は請求項２に記載の間接照明装置とした。
【００１０】
請求項４に係る発明においては、前記間接照明部は、前記画像投影部による表示画像の投影に連動して、前記照明光のスペクトルを変化させることを特徴とする請求項１〜３のいずれか１項に記載の間接照明装置とした。
【００１１】
請求項５に係る発明においては、前記特定領域は、建物の床、壁又は天井の所定の範囲であることを特徴とする請求項１〜４のいずれか１項に記載の間接照明装置とした。
【００１２】
請求項６に係る発明においては、メッセージを受信する受信部を更に備え、前記間接照明部は、前記画像投影部により前記メッセージを表示する表示画像の投影に連動して、前記照明光を変化させることを特徴とする請求項１〜５のいずれか１項に記載の間接照明装置とした。
【００１３】
請求項７に係る発明においては、前記間接照明部は、前記受信したメッセージの属性に応じて異なる照明光を照射することを特徴とする請求項６に記載の間接照明装置とした。
【発明の効果】
【００１４】
請求項１の発明によれば、特定領域に照明光を照射して間接照明を行う間接照明部と、当該特定領域又はその近傍に表示画像を投影する画像投影部と、これらを収納する筐体を備えた間接照明装置であって、間接照明部は、画像投影部による表示画像の投影に連動して、照明光を変化させるようにした。これにより、通常は間接照明部により間接照明を行って通常の演出効果を発揮させ、画像投影部により表示画像を投影する際にこの表示画像の投影に連動して間接照明の照明光が変化するので、投影された表示画像に注意を喚起させて迅速に情報を伝達することができる、という利点を有する。更に、間接照明部の照明光は、画像投影部から投影される表示画像の光を利用していないので、間接照明の効果が投影される表示画像の内容により大きく影響されることがなく、消費電力も増大することがない、という利点を有する。
【００１５】
請求項２、３、４の発明によれば、間接照明部は、画像投影部による表示画像の投影に連動して、照明光の色温度、強度又はスペクトルを変化させる。これにより、その間接照明がなされている領域全体の演出が変化するので、その環境下の人に対して素早く効果的に注意を喚起させることができる、という利点を有する。
【００１６】
請求項５の発明によれば、特定領域は、建物の床、壁又は天井の所定の領域とした。これにより、人が集まる空間の環境を間接照明により演出し、この照明光が照射されている領域又はこの近傍に表示画像を投影するので、表示画像に対して大勢の人に注意を喚起させて迅速に情報を伝達することができる、という利点を有する。
【００１７】
請求項６の発明によれば、メッセージを受信する受信部を更に備え、間接照明部は、当該メッセージを表示する表示画像の投影に連動して、照明光を変化させるようにした。これにより、メッセージが投影されると間接照明が変化するので、投影されたメッセージに対して注意を喚起させることができる、という利点を有する。
【００１８】
請求項７の発明によれば、受信したメッセージの属性に応じて、間接照明部は異なる照明光を照射する。これにより、例えば、表示されるメッセージが一般的な伝達事項である場合と緊急事態を伝えるための緊急メッセージである場合とで、照明光の明るさや色を使い分けることができる、という利点を有する。
【発明を実施するための最良の形態】
【００１９】
以下、本発明について図面を用いて詳細に説明する。
【００２０】
図１は、本発明の実施形態に係る間接照明装置１により建物の壁に間接照明を行っている状態を表す説明図である。図１（ａ）は、壁の特定領域６に間接照明を行っている状態を表し、図１（ｂ）は、特定領域６に表示画像７を表示している状態を表す。
【００２１】
図１（ａ）において、間接照明装置１は、間接照明部３と画像投影部４とこれらを収納する筐体２とから構成されている。間接照明装置１の間接照明部３は、建物の壁５の特定領域６に照明光を照射して、特定領域６の周辺空間の間接照明を行っている。そのため、壁５の特定領域６は周囲の領域よりも明るく映し出されている。特定領域６の周囲はこの特定領域６から散乱される散乱光により間接照明が行われている。
【００２２】
間接照明装置１は、壁５や床、天井などに設置される。壁５に間接照明装置１を設置した場合には、壁５の壁面に斜めから照明光が照射される。間接照明装置１を床面や天井に設置して壁５に照明光を照射してもよい。また、天井や床面に照明光を照射して、間接照明を行うこともできる。また、壁面や天井面を光が半透過する半透過面とし、壁面や天井面の背後に間接照明装置１を設置し、各面の背後から照明光を照射して間接照明を行うことができる。
【００２３】
図１（ｂ）において、間接照明装置１の画像投影部４は特定領域６内に表示画像７を投影している。特定領域６の領域内には、画像投影部４から表示画像７が投影されている。間接照明部３は、表示画像７の投影に連動して照明光の強度を強くしている。画像投影部４から投影される表示画像７は、メッセージを表している。間接照明装置１は、図示しない受信部を備え、例えば為替レートが特定の割合以上に乱高下したときに為替レートに関するメッセージを受信する。このメッセージを受信したときに、画像投影部４はこのメッセージを表示する表示画像を投影する。図１（ｂ）においては、時刻１８時２１分にドルに対する円の為替レートが１２１．５８円／ドルに変動したことを表している。間接照明部３から照射される照明光の強度が強くなり、為替レートの変動に注意を喚起させることができ、その結果表示された情報を迅速に伝達することができる。
【００２４】
なお、間接照明部３の照明光を変化させる場合に、照明光の光強度を変化させる他に、照明光の色温度を変化させるようにしてもよいし、照明光のスペクトルを変化させるようにしてもよい。例えば、照明光の色温度を２０００Ｋ（ケルビン）から６０００Ｋに変化させると、赤橙色から白昼下の色に変化する。色温度を１００００Ｋ以上にすれば、青色へ変化する。同様に、照明光のスペクトルを６０００Åから５５００Åへ変化させると、赤色から緑色へ変化する。スペクトルを４５００Åへ変化させると、青紫色に変化する。照明光の色を変化させることは、間接照明による演出効果を変化させることを意味する。また、間接照明部３は受信したメッセージの属性に応じて、照明光の強度、スペクトル或いは色温度を変化させるようにしてもよい。例えば、メッセージが緊急避難のメッセージである場合には、間接照明部３は照明光を点滅させて注意を喚起し、メッセージが重要メッセージである場合には照明光の強度を強くするようにして、区別して照明することができる。
【００２５】
図２は、本発明の実施形態に係る間接照明装置１のブロック図である。同一の部分又は同一の機能を有する部分には同一の符号を付している。
【００２６】
図２において、間接照明装置１は、壁、天井或いは床に照明光を照射して間接照明を行う間接照明部３と、メッセージ等の表示画像を投影する画像投影部４と、間接照明部３が照明する特定領域又はその近傍領域から散乱される散乱光のスペクトルを測定するスペクトル測定部１２と、装置全体の制御を行う制御部８と、これらを収納する筐体２から構成されている。間接照明部３は、照明用ランプ１０と、照明用ランプ１０から発行された光を特定領域へ導くためのリフレクタ９とから構成されている。画像投影部４は、画像信号を表示画像に変換する光変調素子２３と、光源２１と、光源２１の光を光変調素子２３に導くための照明光学系２２と、光変調素子２３からの投影光を拡大投射する結像光学系２４とから構成されている。画像投影部４は、制御部８から画像データを入力して特定領域６又はその近傍に表示画像を投影する。
【００２７】
図２に示すように、間接照明装置１は間接照明部３と画像投影部４とが一体的に構成されている。画像投影部４は基本的にプロジェクタの機能を備えている。しかし、通常のプロジェクタが有しているフルカラーの高精細投影画像の投影を可能とする機能は必ずしも必要ない。簡単なメッセージ表示や、固定された文字や絵柄をモノクロームで表示するものであってもよい。従って、画像投影部４の重量や体積を軽量小型に構成することができ、間接照明装置１の全体を軽量小型に構成することができる。そのため、建物の壁、天井、床等に簡便に取り付けることができる。
【００２８】
図３は、本発明の実施形態に係る間接照明装置１の機能ブロック図である。同一の部分又は同一の機能を有する部分には同一の符号を付している。
【００２９】
図３において、間接照明装置１は、間接照明部３と、画像投影部４と、スペクトル測定部１２と、これらの各部を制御する制御部８とから構成されている。制御部８は、照明用ランプ１０の発光を制御する照明用ランプ制御回路１１と、有線或いは無線により外部からメッセージを受信する受信部１３と、間接照明装置１の電源のオン・オフ、その他の指示を入力し、或いは、間接照明装置１の動作状態を表示する制御パネル１４と、図示しないＲＡＭやＲＯＭを備え、装置全体を制御する制御部１５と、映像信号を入力する映像信号入力回路１６と、受信部１３が受信したメッセージや映像信号入力回路１６から映像データを入力して光変調素子２３用の画像データに変換する画像処理回路１７と、画像処理回路１７から画像データを入力して光変調素子２３を駆動するための光変調素子ドライブ回路１８と、光変調素子２３が表示する画像データを記憶するための映像記憶メモリ１９と、光源２１の発光を制御する光源制御回路２０と、これら各部間を接続するバス２９などから構成されている。また、画像投影部４は、図２において既に説明した構成を有している。
【００３０】
間接照明部３の照明用ランプ１０は、ハロゲンランプ、水銀ランプ、白熱灯、蛍光灯、発光ダイオードなどの光源を使用することができる。発光ダイオードの場合には、赤色（Ｒ）、緑色（Ｇ）、青色（Ｂ）の各色を発光する複数の発光ダイオードを使用することができる。照明用ランプ制御回路１１は、これらの各色の発光ダイオードを独立に制御することにより、目的の色の照明光を発光させて目的の色の間接照明を行うことができる。同様に、画像投影部４の光源２１として、ハロゲンランプ、水銀ランプ、白熱灯、蛍光灯、発光ダイオード等を使用することができる。ＲＧＢの各色の複数の発光ダイオードを使用すれば、上記と同様に目的の色の表示画像を投影することができる。また、照明用ランプ１０や光源２１に、発光色の異なる複数の蛍光灯等を構成して、異なる色の光を発光させることができる。
【００３１】
光変調素子２３は、透過型の液晶表示素子を使用することができる。また、レーザー光を走査して投影画像を形成する投影型表示装置や、多数のマイクロミラーの傾斜角を制御して、これらのマイクロミラーからの反射光を投影するＤＭＤ（Ｄｉｇｉｔａｌ  Ｍｉｃｒｏｍｉｒｒｏｒ  Ｄｅｖｉｃｅ）を使用することができる。また、これらの光変調素子に代えて、単に文字等のメッセージを記載した透光性板を照明光学系２２と結像光学系２４との間に挿入するようにした、簡単なものであってもよい。また、液晶表示素子やＤＭＤを使用する場合でも、必ずしもフルカラーの表示を行うものでなく、モノクロームの表示を行う簡便な光変調素子２３を使用することができる。
【００３２】
スペクトル測定部１２は、フォトダイオード等からなる受光素子により構成されている。スペクトル測定部１２は、例えばＲＧＢからなる複数のフィルターを介して各色の光強度を検出し、特定領域６から散乱される散乱光のスペクトルを検出する。制御部１５は、検出されたスペクトル分布から、この散乱光のスペクトルとは異なるスペクトルの表示画像７を投影させるために、光源制御回路２０や画像投影部４の画像処理回路１７を制御して表示画像７の色を設定する。例えば、間接照明部３により照明光が照射された特定領域６からの散乱光が略６０００Åにピークを有する暖色系である場合には、画像投影部４から投影する表示画像のスペクトルを波長４５００Åから５０００Å領域の寒色系に設定する。光変調素子２３がカラー表示を可能とする場合には、制御部１５は画像処理回路１７に表示する表示画像のカラーを例えば寒色系に指定する。光変調素子２３がモノクロ表示の場合には、制御部１５は、光源制御回路２０を制御して、光源２１の発光色を寒色系に設定する。この場合、光源２１をＲＧＢの複数の発光ダイオードにより構成し、各色の発光ダイオードに供給する電流を光源制御回路２０により制御する。これにより、画像投影部４による表示画像７の視認性を向上させることができる。
【００３３】
また、上記とは逆に、画像投影部４により投影される表示画像７の表示色を固定して、間接照明部３により照射される照明光を、スペクトル測定部１２により検出された検出結果に基づいて、変更するようにしてもよい。特定領域６から散乱される散乱光は、間接照明として照射される照明用ランプ１０の照明光の他に、外部から照明される光が加算される。このような場合は、照明用ランプ１０の照明光のスペクトルのみによって散乱光のスペクトルが決定されないので、照明用ランプ１０により照明光を照射した上で、スペクトル測定部により特定領域６からの散乱光のスペクトルを測定する必要がある。そして、その検出結果に基づいて、照明用ランプ１０の発光スペクトルを変更する。例えば画像投影部４により投影される表示画像７が暖色系である場合には、間接照明部３により照明光を照射して特定領域６を寒色系にする、或いはその逆にする、或いは補色関係となるようにする。この場合、照明用ランプ１０をＲＧＢの各色を発光する発光ダイオードにより構成し、照明用ランプ制御回路１１により発光色を制御するようにすればよい。
【００３４】
また、上記の場合は、間接照明部３の照明用ランプ１０を発光して特定領域６に照明光を照射した状態で、特定領域６からの散乱光をスペクトル測定部１２により測定する場合を説明したが、これに代えて、間接照明部３の照明用ランプ１０から特定領域６に照明光を照射する前に、スペクトル測定部１２により特定領域６からの散乱光のスペクトルを検出し、照明用ランプ１０を適正に発光させるようすることができる。即ち、スペクトル測定部１２は間接照明を行う前に特定領域６の散乱光を検出して、当該領域の散乱光の強度及びスペクトル分布を検出する。制御部１５は、スペクトル測定部１２が検出した特定領域６の散乱光の強度やスペクトル分布データから、照明用ランプ制御回路１１を制御して、照明用ランプ１０が発光する照明光の適正な強度や、適正な色温度又は発光色を選択する。例えば、特定領域６の明るさを１０％増加させるよう照明用ランプ制御回路１１を制御して照明用ランプ１０に電力を供給する。また、特定領域６から散乱される散乱光のスペクトル分布を検出して、このスペクトル分布と補色関係を有するスペクトル分布の照明光を照明用ランプ１０に発光させるように、照明用ランプ制御回路１１を制御する。このようにすれば、間接照明を行う特定領域６が周囲と同程度の明るさや色となって、特定領域６が周囲に埋没してしまうことを防止することができる。
【００３５】
受信部１３は、送信部からメッセージを受信する。制御部１５は、受信部１３が受信したメッセージに関するメッセージデータを画像処理回路１７に送信し、光変調素子２３は当該メッセージを表示して当該メッセージが投影面２５に投影される。このメッセージの表示に連動して、制御部１５は照明用ランプ制御回路１１を制御して、照明用ランプ１０の照明光を変化させる。
【００３６】
また、制御部１５は、受信部１３が受信したメッセージの属性を検出し、その属性に応じて照明用ランプ１０から異なる照明光を照射させるように照明用ランプ制御回路１１を制御することができる。例えば、制御部１５は、受信したメッセージの属性が緊急メッセージであることを検出して照明用ランプ１０の照明光を点滅させる、或いは、受信したメッセージの属性が重要メッセージであることを検出して照明用ランプ１０の照明光の強度を増大させるように照明用ランプ制御回路１１を制御する。このメッセージ属性の検出を、受信したメッセージに付加された属性データを受信し、制御部１５がこの属性データを検出して、照明用ランプ制御回路１１を制御するようにしてもよいし、受信部１３が緊急チャンネルと、重要チャンネルと通常チャンネルを備え、夫々のチャンネルが受信したときに、制御部１５がこれに対応して照明用ランプ制御回路１１を制御するようにしてもよい。
【００３７】
また、画像投影部４から投影される表示画像は、間接照明部３から照射される照明光に対して識別可能な光により表示させる。画像投影部４から投影される表示画像のスペクトルと間接照明部３から照射される照明光のスペクトルが類似する場合には、少なくとも、メッセージ等を表示する表示画像の散乱光を、間接照明による散乱光よりも強くなるように画像投影部４から表示画像を投影する。また、間接照明による散乱光の強度と、表示画像の散乱光の強度とが近似する場合には、例えば、相互に補色関係にある色の照明光を使用する又は表示画像のスペクトルを選定する。
【００３８】
図４は、本発明の実施形態に係る間接照明装置１の動作フローの一例を表すフローチャート図である。なお、本フローチャート図は、受信したメッセージが緊急メッセージ、重要メッセージ及び通常メッセージを区別し、間接照明部３はこれらの区別されたメッセージに連動して、異なる照明光を照射する場合を表している。
【００３９】
間接照明装置１の制御パネル１４の電源をオンして開始する。すると、制御部１５はメインプログラムを実行し、照明用ランプ制御回路１１を制御して照明用ランプ１０をオンする（ステップＳ１）。間接照明部３は照明用ランプ１０による照明光を壁、天井或いは床の特定領域６に照射する。スペクトル測定部１２は、特定領域６から散乱される散乱光野のスペクトルを測定する（ステップＳ２）。制御部１５は、そのＲＡＭに記憶された規定スペクトルパターンとスペクトル測定部１２により測定された測定スペクトルパターンとを比較し、測定スペクトルパターンが規定スペクトルパターンと略一致するかどうかを判定する（ステップＳ３）。
【００４０】
ここで規定スペクトルパターンとは、例えば、赤色のスペクトルが強調された暖色系のスペクトルパターンや、青色のスペクトルが強調された寒色系のスペクトルパターンに予め設定されているスペクトルパターンを言う。特定領域６から散乱される散乱光の規定スペクトルパターンが暖色系のパターンである場合には、画像投影部４から投影される表示画像の色は寒色系に設定しておく。規定スペクトルパターンが寒色系である場合には、表示画像の色を暖色系に設定しておく。これにより、表示画像の視認性を向上させることができるからである。なお、規定スペクトルパターンの設定は寒色系や暖色系に限定されず、任意の色を選定することができる。要は、特定領域６から散乱される散乱光に対して、画像投影部４により投影される表示画像が、視認可能であるように選定すればよい。
【００４１】
制御部１５が、測定スペクトルパターンと規定スペクトルパターンが略一致すると判定したときは（ステップＳ３のＹｅｓ）、終了ボタンがオンされたか否かの判定を行うステップＳ５へ進む。制御部１５が、測定スペクトルパターンと規定スペクトルパターンとが一致しないと判定したときは（ステップＳ３のＮｏ）、画像処理回路１７又は光源制御回路２０を制御して画像投影部４（以下、プロジェクタＰＪという。）の光変調素子２３が投影する表示画像７の色を予め設定された色から変更する（ステップＳ４）。例えば、制御部１５が、測定スペクトルパターンが予め設定された暖色系の色ではなく寒色系の色であることを検出した場合には、表示画像７の表示色が暖色系の色、或いは測定スペクトルパターンに対して補色関係にある色となるように、画像処理回路１７又は光源制御回路２０を制御して表示色を設定する。その後、ステップＳ５に進む。
【００４２】
制御部１５が、終了ボタンがオンされたことを判定すると（ステップＳ５のＹｅｓ）、処理は終了する。制御部１５が、終了ボタンがオンされていないことを判定して（ステップＳ５のＮｏ）、受信部１３がメッセージを受信したかどうかを検出する（ステップＳ６）。制御部１５は、受信部１３が外部からメッセージを受信したことを検出すると（ステップＳ６のＹｅｓ）、光源制御回路２０を制御してプロジェクタＰＪの光源２１をオンする（ステップＳ８）。制御部１５は、受信部１３が受信したメッセージの画像データを画像処理回路１７に送信し、光変調素子２３は当該メッセージの表示画像を投影する（ステップＳ９）。制御部１５は、受信部１３がメッセージを受信していないと判定したときは（ステップＳ６のＮｏ）、プロジェクタＰＪの光源２１をオフするように、光源制御回路２０を制御し（ステップＳ７）、ステップＳ５に進み、メッセージの待ち状態となる。この場合でも、照明用ランプ１０は点灯し、特定領域６に照明光を照射して間接照明を行っている。
【００４３】
制御部１５は、受信したメッセージの属性が、緊急であるか否かを判定する（ステップＳ１０）。制御部１５が、緊急でないことを判定したときは（ステップＳ１０のＮｏ）、受信したメッセージの属性が重要であるか否かを判定する（ステップＳ１１）。制御部１５が重要でないことを判定したときは（ステップＳ１１のＮｏ）、ステップＳ５へ進む。この場合、メッセージの受信が終了する（ステップＳ６がＮｏになる）、或いは、終了ボタンが押下されるまで（ステップＳ５のＹｅｓ）、プロジェクタＰＪはメッセージを投影する。
【００４４】
制御部１５が、受信したメッセージの属性が緊急であることを判定すると（ステップＳ１０のＹｅｓ）、照明用ランプ制御回路１１を制御して、照明用ランプ１０を点滅させる（ステップＳ１３）。制御部１５は、所定時間が経過するまで（ステップＳ１４のＮｏ）、照明用ランプ１０の点滅を維持する。制御部１５は、所定時間が経過したことを判定すると（ステップＳ１４のＹｅｓ）、照明用ランプ制御回路１１を制御して、照明用ランプ１０を通常の照明状態に復帰させ（ステップＳ１５）、ステップＳ５に進む。
【００４５】
制御部１５が、受信したメッセージの属性が重要であることを判定すると（ステップＳ１１のＹｅｓ）、照明用ランプ制御回路１１を制御して、照明用ランプ１０の輝度を向上させる（ステップＳ１２）。そして、所定時間が経過するまでの照明用ランプ１０が高輝度の状態を維持する（ステップＳ１４のＮｏ）。
【００４６】
なお、上記の動作フローのステップＳ７及びステップＳ８において、画像投影部４の光源２１のみをオン又はオフしたが、これに加えて、映像信号入力回路１６、画像処理回路１７、光変調素子ドライブ回路１８の表示画像の投影にかかわる部位の供給電力すべてをオン又はオフするようにして、消費電力の低減を図るようにしてもよい。また、上記実施形態において、間接照明装置１はスペクトル測定部１２を備えて、特定領域６から散乱される散乱光のスペクトルを検出したが、このスペクトル測定部１２を除去しても、本発明に係る間接照明装置１を構成することができる。
【図面の簡単な説明】
【００４７】
【図１】本発明の実施形態に係る間接照明装置を説明する説明図である。
【図２】本発明の実施形態に係る間接照明装置のブロック図である。
【図３】本発明の実施形態に係る間接照明装置の機能ブロック図である。
【図４】本発明の実施形態に係る間接照明装置の動作フローを表すフローチャート図である。
【図５】従来公知の空間演出照明装置の概略構成図である。
【符号の説明】
【００４８】
１  間接照明装置
２  筐体
３  間接照明部
４  画像投影部
５  壁
６  特定領域
７  表示画像
８  制御部
９  リフレクタ
１０  照明用ランプ
【図１】
2009076397.tif 000003
【図２】
2009076397.tif 000004
【図３】
2009076397.tif 000005
【図４】
2009076397.tif 000006
【図５】
2009076397.tif 000007